(57)【特許請求の範囲】
【請求項１】
少なくともウェブ、下フランジ、リップを有する複数の型鋼に対して取り付けて建材板を型鋼間に保持することができる建材板保持材であって、
取付状態において型鋼のウエブに沿う中央縦片部と、型鋼の下フランジに沿う横片部と、該横片部から立ち上がる内側縦片部と、外側縦片部と、該外側縦片部に設けられて型鋼の背面側に配設する建材板の端部を支持する支持部と、を有し、型鋼の下フランジに対して室内側から取付可能であり、
建材板の一方の端部を型鋼の下フランジのリップに支持させると共に、他方の端部を前記型鋼の下フランジ側に隣り合う型鋼に取り付けた当該建材板保持材の前記支持部に支持させることにより、建材板を隣り合う型鋼間に保持できることを特徴とする建材板保持材。
【請求項２】
内側縦片部は、上端が型鋼の下フランジのリップより低い係止部であることを特徴とする請求項１に記載の建材板保持材。
【請求項３】
建材板の一方の端部を型鋼の下フランジのリップに支持させると共に、他方の端部を前記型鋼の下フランジ側に隣り合う型鋼に取り付けた請求項１又は２に記載の建材板保持材の支持部に支持させ、当該他方の端部を、型鋼に沿う縦片部と、該縦片部から下方へ延在する押さえ片とを備える押さえ材で押さえ保持することを特徴とする建材板保持構造。
【請求項４】
型鋼の下フランジ及び建材板保持材を被覆する化粧材を設けていることを特徴とする請求項３に記載の建材板保持構造。
【発明の詳細な説明】
【技術分野】
【０００１】
本発明は、屋根の骨組として用いられる鋼材（屋根母屋）に装着されて天井板や化粧板等の建材板を容易に且つ確実に保持し、建材板の取付けも簡単に行なうことができる建材板保持材、及び建材板保持構造に関する。
【背景技術】
【０００２】
各種の鉄骨造の建築構造として、勾配を付けて配置したＨ型鋼等の上に、Ｃ型鋼からなる複数の屋根母屋を軒棟方向に平行に固定し、これら屋根母屋の上部に屋根下地材を敷設して取付ける構造が知られている。
一方、特に大型の建築物においては、室内側に屋根母屋を構成する溝形鋼やＣ型鋼等の屋根下地が、露出することになるため、見栄えが悪くなる。このため、屋根裏の見栄えを向上する目的で、或いは断熱性や遮音性を向上する目的で、様々な提案がなされている。
【０００３】
例えば特許文献１には、溝型鋼に固定される第１保持部材と、該第１保持部材に取り付ける化粧ホルダーとからなる建材保持部材が提案されている。なお、この特許文献１における化粧ホルダーは、必須の部材であるから、第２保持部材というべき部材である。
この提案における前記第１保持部材は、第１建材の上面に当接する第１挟持片を備える構成であり、前記化粧ホルダーは、前記第１建材の下面に当接して当該第１建材を前記第１挟持片に向かう厚さ方向に押圧する第２挟持片と、前記溝形鋼の開口部に挿入した前記第２建材の端部を厚さ方向から挟持する第３挟持片と、を備えている。
【先行技術文献】
【特許文献】
【０００４】
【特許文献１】特許第５５６１６５０号公報
【発明の開示】
【発明が解決しようとする課題】
【０００５】
しかしながら、前記特許文献１の構造では、「建材」の配設方法が「ウェブ２ａの外周に向けて第１建材１１ａの端部を配置するとともに、屋根母屋２Ａの開口部２ｄに第２建材１１ｂの端部を挿入し」としか記載されていないが、その図４等から建材１１ａの端部は、係止部１２ｃに干渉しない程度に短いサイズからなると想定される。しかし、干渉しないで斜めから下方からの差込、回転で配置された建材１１ａの右端は、どこにも支持されていないため、化粧ホルダー１３の取付前にあっては建材１１ａが脱落する恐れの高いものであった。
また、特にこの特許文献１に示される溝形鋼（Ｃ型鋼）は、配設ピッチに誤差が生じやすい部材であり、取付ピッチが狭いと係止部が干渉して建材が入らなかったり、逆に広いと隙間がより大きくなり、化粧カバー取付時まで作業者が抑えていなければならないという問題を有していた。しかも、そうした抑えながらの作業の場合、建材の配設、化粧ホルダーの取り付けを交互に行うことになり、極めて作業効率の悪いものとなっていた。
さらに、化粧ホルダーを建材より長尺とした場合には、その長さ分の建材を全て配設するまで化粧ホルダーの取付が行えないことになり、より作業性が悪くなるものであった。
【０００６】
そこで、本発明は、屋根の骨組として用いられる鋼材（屋根母屋）に装着されて天井板や化粧板等の建材板を容易に且つ確実に保持し、建材板の取付けも簡単に行なうことができる建材板保持材、及び建材板保持構造を提案することを目的とする。
【課題を解決するための手段】
【０００７】
本発明は、上記に鑑み提案されたものであって、少なくともウェブ、下フランジ、リップを有する複数の型鋼に対して取り付けて建材板を保持することができる建材板保持材であって、取付状態において型鋼のウエブに沿う中央縦片部と、型鋼の下フランジに沿う横片部と、該横片部から立ち上がる内側縦片部と、外側縦片部と、該外側縦片部に設けられて型鋼の背面側に配設する建材板の端部を支持する支持部と、を有し、型鋼の下フランジに対して室内側から取付可能であり、建材板の一方の端部を型鋼の下フランジのリップに支持させると共に、他方の端部を前記型鋼の下フランジ側に隣り合う型鋼に取り付けた当該建材板保持材の前記支持部に支持させることにより、建材板を隣り合う型鋼間に保持できることを特徴とする建材板保持材（以下、単に保持材という）を提案するものである。
なお、前記型鋼における背面側とは、下フランジが延在する方向と逆方向を指すものである。
【０００８】
また、本発明は、前記保持材において、内側縦片部は、上端が型鋼の下フランジのリップより低い係止部であることを特徴とする保持材をも提案する。
【０００９】
さらに、本発明は、建材板の一方の端部を型鋼の下フランジのリップに支持させると共に、他方の端部を前記型鋼の下フランジ側に隣り合う型鋼に取り付けた前記構成の建材板保持材の支持部に支持させ、当該他方の端部を、型鋼に沿う縦片部と、該縦片部から下方へ延在する押さえ片とを備える押さえ材で押さえ保持することを特徴とする建材板保持構造（以下、単に保持構造という）をも提案するものである。
【００１０】
また、本発明は、前記保持構造において、型鋼の下フランジ及び建材板保持材を被覆する化粧材を設けていることを特徴とする保持構造をも提案する。
【発明の効果】
【００１１】
本発明の保持材は、一方の端部を型鋼の下フランジのリップに支持させた天井材や化粧板等の建材板の他方の端部を支持することにより、建材板を隣り合う型鋼間に保持することができ、実質的にこの保持材の一部材のみで保持構造を構築できる。
また、保持材は、建材板の他方の端部を支持するため、建材板のサイズの制限や施工手順の制限を受けることがなく、また、型鋼の取付に誤差があった場合であっても確実に支持することができる。また、建材板が型鋼に干渉することがないため、建材板の端部同士を型鋼のウエブを挟んで突き合わせ状に配設でき、断熱性能に優れるものである
さらに、この保持材を用いた保持構造では、型鋼の下フランジ等を下方側から被覆する化粧材は、建材板の支持に関わっていないため、保持材の施工が終わっていれば随時取り付けを行うことができ、施工に支障を生ずるものでもない。
【００１２】
また、内側縦片部は、上端が型鋼の下フランジのリップより低い係止部である場合には、化粧カバーや天井仕上げ材等の化粧材を、リップの上端に支持させる建材板に干渉を受けずに係止させることができる。
【００１３】
さらに、建材板の他方の端部表面を、押さえ材の押さえ片で保持する本発明の保持構造は、室内側から建材板を押し上げるような応力が作用した際に、該応力に抗する作用を果たし、建材板の外れや落下等を防ぐことができる。
【００１４】
また、型鋼の下フランジ及び保持材を被覆する化粧材を設けている場合には、前記特許文献１のように化粧材自体に建材板を支持する機能（構成）を持たせていないので、この化粧材の配設前に建材板が脱落することもないし、保持材の取付を制限することもない。
【図面の簡単な説明】
【００１５】
【図１】（ａ）本発明の保持材の一実施例（第１実施例）を示す拡大正面図、（ｂ）用いた化粧材を示す拡大正面図、（ｃ）それらを用いた保持構造を示す断面図、（ｄ）その施工手順を示す断面図、（ｅ）Ａ部の拡大断面図である。
【図２】（ａ）押さえ材を用いた保持構造を示す断面図、（ｂ）その施工手順を示す断面図、（ｃ）Ａ部の拡大断面図、（ｄ）用いた押さえ材を示す拡大正面図である。
【図３】（ａ）リップＺ型鋼に対し、第１実施例の保持材を用いて建材板を保持した保持構造を示す断面図、（ｂ）その施工手順を示す断面図、（ｃ）用いたリップＺ型鋼を示す正面図、（ｄ）用いた押さえ材を示す拡大正面図である。
【図４】（ａ）化粧材を変更した（化粧カバーに代えて天井仕上げ材を配設した）保持構造を示す断面図、（ｂ）Ｂ部の拡大断面図、（ｃ）用いた化粧材（天井仕上げ材）を示す正面図である。
【図５】（ａ）第１実施例の保持材を用いた別の保持構造であり、型鋼同士を背中合わせに接続して用いた箇所には幅広の保持材及び幅広の化粧カバーを用いた断面図、（ｂ）２種の化粧カバーに代えて天井仕上げ材及び化粧面がフラット状の繋ぎ用化粧材を配設した保持構造を示す断面図、（ｃ）幅広の保持材を示す拡大正面図、（ｄ）当該箇所に配する押さえ材を示す拡大正面図である。
【図６】（ａ）第１実施例の保持材を用いた別の保持構造であり、化粧面が断面略Ｖ字状の化粧カバーを用いた断面図、（ｂ）２種の化粧カバーに代えて天井仕上げ材及び化粧面が断面略Ｖ字状の繋ぎ用化粧材を配設した保持構造を示す断面図である。
【発明を実施するための形態】
【００１６】
本発明の保持材は、少なくともウェブ、下フランジ、リップを有する複数の型鋼に対して取り付けて建材板を型鋼間に保持することができる部材であって、取付状態において型鋼のウエブに沿う中央縦片部と、型鋼の下フランジに沿う横片部と、該横片部から立ち上がる内側縦片部と、外側縦片部と、該外側縦片部に設けられて型鋼の背面側に配設する建材板の端部を支持する支持部と、を有し、型鋼の下フランジに対して室内側から取付可能である。
【００１７】
なお、内側縦片部は、型鋼の下フランジ側に形成される縦片を指すものであり、後述する図示実施例に示すように取付状態において型鋼の下フランジのリップに沿う規制片や上端が型鋼の下フランジのリップより低い係止部が含まれる。
【００１８】
また、前記保持材を用いた本発明の保持構造は、建材板の一方の端部を型鋼の下フランジのリップに支持させ、建材板の他方の端部を、前記型鋼の下フランジ側に隣り合う型鋼に取り付けた当該保持材の前記支持部に支持させることを特徴とする。
【００１９】
また、この保持構造では、建材板の他方の端部を、型鋼に沿う縦片部と、該縦片部から下方へ延在する押さえ片とを備える押さえ材で押さえ保持することが望ましい。
さらに、これらの保持構造では、型鋼の下フランジ及び保持材を被覆する化粧材を取り付けていることが望ましい。
なお、この化粧材としては、型鋼の下フランジ及び保持材を覆う「化粧カバー」と、建材板、或いは建材板と保持材、及び型鋼の下フランジを覆う「天井仕上げ材」とがあり、両者を併用するようにしてもよい。したがって、化粧カバーは覆うための面積、即ち化粧面部が小さく、天井仕上げ材は化粧面部が大きいため、新たな意匠性を加える目的には後者が適している。何れの化粧材においても特に形状、材質を限定するものではなく、例えば天井仕上げ材としては、後述する図示実施例にて説明するようなパンチングメタルに限定するものではない。
【００２０】
以下、本発明の保持材、より安定な保持を目的として用いる押さえ材、室内側からの美観を向上する化粧材、及びこれらの取り付け対象である型鋼、またその保持対象である建材板についてそれぞれ説明する。
【００２１】
本発明の保持材は、前述のように中央縦片部と、横片部と、内側縦片部と、外側縦片部と、支持部を有し、型鋼の下フランジに対して室内側から取付可能な構成である。この保持材は、型鋼の長さ方向に連続する長尺状でもよいが、後述する図示実施例のように所定長さ形成した部材を適宜間隔にて複数取り付けるようにしてもよい。
【００２２】
前記中央縦片部は、前述のように取付状態において型鋼のウエブに沿うものであり、後述する図示実施例のように鉛直状の縦片に形成されることが多い。
この中央縦片部には、この保持材の配設以前に取り付けている押さえ材に、嵌合、ビス止め、締着、接着等で型鋼に取り付けられるものであればその取付方法を問うものではなく、併用してもよい。なお、この取付部としては、後述する図示実施例では、押さえ材に孔状に形成した取付受部に対して外側へ隆起する隆状取付部としたが、特にその構成を限定するものではない。
【００２３】
前記横片部は、前述のように取付状態において型鋼の下フランジに沿うものであり、前記中央縦片部の下端から下フランジ側へ延在するばかりでなく、逆方向にも延在し、後述する図示実施例のように水平状の横片に形成されることが多い。この横片部には、下方からビス止めすることにより、型鋼の下フランジに強固に固定することができる。
この横片部の下フランジ側への延在部分には前記内側縦片部が形成され、逆方向の延在部分には前記支持部が設けられる外側縦片部が形成される。
【００２４】
前記内側縦片部は、前述のように前記横片部の下フランジ側への延在部分から立ち上がる縦片を指し、より具体的には取付状態において型鋼の下フランジのリップに沿う規制片や上端が型鋼の下フランジのリップより低い係止部が含まれるが、これらを必須とするものではなく、何れか一方のみが形成されるものでもよい。
【００２５】
前記支持部は、前述のように前記横片部の下フランジ側とは逆方向の延在部分から立ち上がる外側縦片部に設けられて、型鋼の背面側に配設する建材板の端部を支持するものであって、一方の端部を支持する型鋼の下フランジのリップ上端と支持高さを略同一とすることが望ましい。
この支持部は、後述する図示実施例では、外側への傾斜状縦片の上端に設けられているが、特にその構成を限定するものではない。また、この支持部の下方には、後述する化粧材を嵌合状に取り付けるための取付部位として、外方が開放する嵌合溝を形成しているが、特にその構成を限定するものではない。
【００２６】
前記内側縦片部の一つである規制片は、取付状態において型鋼の下フランジのリップ（の外側）に沿うものであって、前記中央縦片部と前記横片部とこの規制片とで上方が開放する略Ｕ字状が形成される。そのため、この保持材を、型鋼の下フランジに対して下方から嵌合状に仮止めすることができ、前記横片部の下方からのビス止め作業を安定に行うことができる。
【００２７】
前記内側縦片部の一つである係止部は、前述のように上端が型鋼の下フランジのリップより低く形成される。
この係止部は、後述する図示実施例では、外側への傾斜状縦片の上端を内側上方へ折り曲げた形状に形成され、前記支持部が形成される傾斜状縦片と左右対称状に形成されているが、特にその構成を限定するものではない。即ちこの係止部は、化粧カバーや天井仕上げ材等の化粧材の取付部位として用いるものであって、上端が型鋼の下フランジのリップより低く形成されために、リップの上端に支持させる建材板に干渉を受けずに化粧材を係止させることができる。
【００２８】
前記押さえ材は、より安定な建材板の保持を目的として用いられるものであって、型鋼のウエブに沿う縦片部と、該縦片部から下方へ延在する押さえ片とを備える構成である。
この押さえ材としては、前記縦片部の上端に型鋼の上フランジに掛止する掛止部を備えることが望ましい。この掛止部は、側方から前記縦片部にビスを打ち込んでこの押さえ材を型鋼に固定する際の仮止めとして利用することができる。
【００２９】
前記縦片部は、型鋼のウエブに沿う略垂直状の縦片であって、前記保持材の中央縦片部に設けた係止部を取り付け可能な係止受部を設けていることが望ましい。なお、この係止受部としては、孔状に形成し、中央縦片部に設けた隆状係止部を係止できる構成としたが、特にその構成を限定するものではない。
【００３０】
前記押さえ片は、前記縦片部から下方へ延在して建材板の表面に臨むものであって、建材板の表面を押さえ保持するものである。この押さえ片の形状については特に限定するものではなく、建材板の表面に当接してもよいし、当接していなくてもよい。即ち常に建材板の端部表面を上方から圧接している態様に限定されず、何らかの負荷が掛かった際には端部を押さえる態様を含むものであるが、取付安定性を考慮した場合には、建材板の端部を継続的に且つ弾性的に上方から押さえることが望ましいことは説明するまでもない。
【００３１】
前記化粧材は、前述のように型鋼の下フランジ及び保持材を覆う「化粧カバー」と、建材板、或いは建材板と保持材、及び型鋼の下フランジを覆う「天井仕上げ材」とがあり、型鋼の下フランジ及び前記保持材を被覆する化粧面部を有するものであって、型鋼の長さ方向に連続する長尺状に形成される。
なお、これらの化粧材には、前記保持材と型鋼との取付を補助（強化）する構成を具備させてもよい。
【００３２】
前記保持材の取り付け対象である型鋼は、少なくともウェブ、下フランジ、リップを有するものであればよく、具体的にはＣ型鋼（＝リップ溝型鋼）、リップＺ型鋼等が相当し、屋根を構成する母屋等であっても、躯体を構成する鉄骨やＲＣに対して新たに取り付けられるものであってもよい。なお、これらの型鋼同士を背中合わせに接続して用いるようにしてもよい。特にＣ型鋼を用いる場合には、ほとんどのＣ型鋼は下フランジが同一方向に延在するように配設されているが、背中合わせ状に組み合わされて取り付けられている箇所も存在する。
【００３３】
前記建材板は、天井板や化粧板等を指すものであって、隣り合う型鋼間に架け渡されるように配設されるボード状であって、略平坦状でも曲面状でもよく、その端部を支持することで継続的に支持構造を維持できる強度（硬度）を有するものであれば、特にその材質についても限定するものではない。
また、この建材板の端部についても、その表面から
略垂直状に断裁したものに限らず、例えば端部を、下面側を切り欠いた段状に形成してもよい。
【実施例１】
【００３４】
図１（ａ）に示す本発明の第１実施例の保持材１は、取付状態〔同図（ｃ），（ｄ）に示す〕においてＣ型鋼である型鋼４のウエブ４２に沿う中央縦片部１１と、型鋼４の下フランジ４１に沿う横片部１２と、該横片部１２から立ち上がる内側縦片部１３と、外側縦片部１４と、該外側縦片部１４に設けられて型鋼４の背面側に配設する建材板５の端部５１ｙを支持する支持部１４１と、を有し、型鋼４の下フランジ４１に対して室内側から取付可能である。
【００３５】
先に、図１に示される保持材１以外の部材（型鋼４、化粧材３、押さえ材２、建材板５）について説明すると、型鋼４は縦方向に配されるウエブ４２の両端（上下端）にフランジ４３，４１を有するリップ溝型鋼（Ｃ型鋼）であって、先端に上向き片４１１を備える下フランジ４１は図面右方へ延在している。
【００３６】
また、図１（ｂ）に示す化粧材３は、型鋼４の下フランジ４１及び保持材１の取付部１１を下方側から被覆する化粧カバーであって、底面である化粧面３１の左右が立ち上がる断面略樋状の長尺材であり、この第１実施例では左右略対称状に形成されている。
そして、一方の側面（右側面）３２には、前記保持材１の係止部１３Ｂの上端に係合する係合片３２１が内向きに設けられ、他方の側面（左側面）３３には、前記保持材１の横片部１２の端縁から立ち上がる縦片１４の外側に沿って前記支持部１４１の下方に設けられる嵌合溝１４２に側方から係合する係合片３３１が内向きに設けられ、前記保持材１に下方から嵌合状に取り付けることができる。
【００３７】
また、前記建材板５は、隣り合う型鋼４，４間に架け渡されるように配設されるボード状の天井材であって、この第１実施例における両端に位置する端部５１ｘ，５１ｙは、その表面から略垂直状に断裁されたものである。なお、便宜的に図面上、左端に位置する端部を５１ｘ、右方に位置する端部を５１ｙとした。
【００３８】
この第１実施例の保持材１について詳細に説明すると、図１（ａ）に示すように取付状態において型鋼４のウエブ４２に沿う中央縦片部１１と、型鋼４の下フランジ４１に沿う横片部１２と、該横片部１２から立ち上がる二片の内側縦片部１３と、外側への傾斜片状の外側縦片部１４と、該外側縦片部１４の上端に設けられて型鋼４の背面側に配設する建材板５の端部５１ｙを支持する支持部１４１と、を備えている。
【００３９】
この第１実施例における前記中央縦片部１１は、前述のように取付状態において型鋼４のウエブ４２（の外面）に沿うものであって、鉛直状の縦片に形成され、外側（図中の左側）へ隆起する隆状係止部１１１を備えている。
【００４０】
また、この第１実施例における前記横片部１２は、前述のように取付状態において型鋼４の下フランジ４１（の下面）に沿うものであって、前記中央縦片部１１の下端から左右方向へ水平状に延在する横片である。この横片部１２には、下方からビス止め（ビス１ｂ）することにより、型鋼４の下フランジ４１に強固に固定することができる。
この横片部１２の下フランジ４１側への延在部分には前記内側縦片部１３が形成され、逆方向の延在部分には前記支持部１４１が設けられる外側縦片部１４が形成される。
【００４１】
この第１実施例における前記内側縦片部１３は、前述のように前記横片部の下フランジ側への延在部分から立ち上がる二片の縦片を指し、より具体的には取付状態において型鋼の下フランジのリップに沿う規制片１３Ａと、上端が型鋼４の下フランジ４１のリップより低い係止部１３Ｂとを指している。
前記規制片１３Ａは、前記中央縦片部１１と前記横片部１２とこの規制片１３Ａとで上方が開放する略Ｕ字状を形成するための構成であり、この略Ｕ字状を型鋼４の下フランジ４１に対して下方から嵌合状に仮止めすることができ、前記横片部１２の下方からのビス止め作業を安定に行うことができる。
また、前記係止部１３Ｂは、外側（図中の右側）への傾斜状縦片の上端を内側上方へ折り曲げた形状に形成されている。
【００４２】
また、この第１実施例における前記支持部１４１は、前述のように前記横片部１２の端縁から立ち上がって型鋼４の背面側に配設する建材板５の端部５１ｙを支持するものであって、一方の端部５１ｘを支持する型鋼４の下フランジ４１のリップ４１１上端と支持高さを略同一としている。
この支持部１４１は、外側（図中の左側）への傾斜状縦片１４の上端に設けられ、この支持部１４１の下方には、前記化粧カバー３の係合片３３１が嵌合状に取り付ける取付部位として、外方（図中の左方）が開放する嵌合溝１４２を設けている。
【００４３】
なお、前記係止部１３Ｂと前記支持部１４１が形成される傾斜状縦片１４とは、左右対称状に形成されているので、前述のように左右略対称状に形成される化粧カバー３を前記保持材１の下方から容易に嵌合状に取り付けることができる。
【００４４】
図１（ｅ）は、前記各部材１〜３を用いて前記型鋼４に建材板５を保持する構造の施工手順の一例を示すものであって、この第１実施例では、まず各型鋼４に対して前記押さえ材２を固定している。
【００４５】
次に、図面左側の型鋼４のリップ４１１に、建材板５の一方の端部５１ｘを支持させる。
同図では、図面左側の型鋼４には前記保持材１及び前記化粧材（化粧カバー）３が既に取り付けられているが、取り付けていなくても同様であり、傾斜状に臨ませた建材板５の一方の端部５１ｘの裏面を係合片３２１（及びその裏面側の係止部１３Ｂ）に支持させ、端面を型鋼４のウエブ４２に当接させる。
【００４６】
続いて、建材板５の他方の端部５１ｙを保持材１の支持部１４１に支持させつつ、建材板５が略水平状となるように回動（傾動）させると共に保持材１を図面右側の型鋼４に取り付ける。
この保持材１は、前述のように前記中央縦片部１１と前記横片部１２と前記規制片１３Ａとで上方が開放する略Ｕ字状を形成しているので、型鋼４の下フランジ４１に対して下方から嵌合状に仮止めできる。また、保持材１の中央縦片部１１には、押さえ材２の縦片部２１に形成した孔状の係止受部２１１に係止する隆状係止部１１１を有するので、仮止め状態はより安定なものとなる。そして、その後の前記横片部１２の下方からのビス止め作業を安定に行うことができ、建材板５も略水平状に保たれるものとなる。
【００４７】
なお、建材板５は、略水平状に保たれる状態で保持されるが、両端面が隣り合う型鋼４，４のウエブ４２，４２に突き合わせ状に保持される。
また、特に建材板５の一方側の端部５１ｘは、押さえ材２を固定するために用いたビス２ｂの先端が表面側に延在しているので、他端側の端部５１ｙにおける押さえ片２２と同様に押さえ保持する役割を果たす。
【００４８】
その後、取り付けた保持材１に対し、前記化粧材（化粧カバー）３を下方から嵌合状に取り付ける。
この化粧カバー３は、前述のように一方（右方）の側面３２に係合片３２１が内向きに設けられ、他方（左方）の側面３３に係合片３３１が内向きに設けられているので、前記保持材１の係止部１３Ｂ、嵌合溝１４２に下方から嵌合状に取り付けることができる。
【００４９】
このように本発明の保持材１は、一方の端部５１ｘを型鋼４の下フランジ４１のリップ４１１に支持させた建材板５の他方の端部５１ｙを支持することにより、建材板５を隣り合う型鋼４，４間に保持することができ、実質的にこの保持材１の一部材のみで保持構造を構築できる。
【００５０】
また、この保持材１にて保持される建材板５は、その端面を隣り合う型鋼４，４のウエブ４２，４２に突き合わせ状に配設できる。そのため、断熱性能の弱点部を生ずることもない。
しかもこの第１実施例では、建材板５の一方側の端部５１ｘも他方側の端部５１ｙもそれぞれビス２１ｂ、押さえ片２２にて押さえ保持する構成としたので、室内側（下方側）から建材板５を押し上げるような応力が作用した際にも、該応力に抗する作用を果たし、建材板の外れや落下等を防ぐことができる。
【００５１】
さらに、この保持材１を用いた保持構造では、型鋼４の下フランジ４１等を下方側から被覆する化粧カバー３は、建材板５の支持に関わっていないため、保持材１の施工が終わっていれば随時取り付けを行うことができ、施工に支障を生ずるものでもない。
【００５２】
図２（ａ）に示す保持構造は、より安定な建材板５の保持を目的として押さえ材２を用いた例であって、前記構成の保持材１を配設する以前に各型鋼４に押さえ材２を取り付けておくことにより、より安定な建材板５の保持が得られるものである。
【００５３】
前記押さえ材２は、図２（ｄ）に示すように押さえ材２は、前記型鋼４のウエブ４２に沿う縦片部２１と、該縦片部２１から下方へ延在する押さえ片２２とを備える。
また、前記縦片部２１の上端には、略水平状に折曲されて型鋼４の上フランジ４３に掛合する掛合片２３が設けられ、側方から前記縦片部２１にビス２ｂを打ち込んでこの押さえ材２を型鋼４に固定する際の仮止めとして利用できる。なお、前記押さえ片２２は、複数の矩形状の切り込みによる切り起こしにて外側へ突出するように複数箇所に形成され、この押さえ片２２の下端は取付状態において建材板５の表面に近接している。また、前記縦片部２１の下方には、孔状に形成した係止受部２１１を設けている。
この押さえ材２の取付は、前記縦片部２１を型鋼４のウエブ４２に沿わせると共に前記掛止部２３を型鋼４の上フランジ４３に掛止させた仮止め状態とし、この状態でビス２ｂを側方（図面の左方）から打ち込んで固定する。
【００５４】
図３（ａ）に示す保持構造は、リップＺ型鋼４Ｃに対して前記構成の保持材１を配設して建材板５を保持する例であって、この型鋼４Ｃは、屋根構造を構成するコンクリート躯体６Ｃにアンカー６ｄを打ち込んで吊り下げ状に支持させたものである。
【００５５】
この型鋼４Ｃは、図３（ｃ）に示すように縦方向に配されるウエブ４４の両端（上下端）にフランジ４６，４５を有するリップＺ型鋼であって、先端に上向き片４５１を備える下フランジ４５は図面右方へ延在している（上フランジ４６は左方へ延在している）。
またこの例では、図３（ｄ）に示す縦片部２１ｃを前記図２における押さえ材２の縦片部２１に比べて短く形成した小幅状の押さえ材２Ｃを用いた。この押さえ材２Ｃは、前記図２における押さえ材２とは異なり、型鋼４Ｃへの仮止め構成を有していないが、ビス２ｂを側方（図面の左方）から打ち込んで固定する点や建材板５の表面を押さえ片２２にて押さえ保持する点などは同様である。
【００５６】
図４（ａ）に示す保持構造は、前記化粧材（化粧カバー）３に代えて、隣り合う型鋼４，４間に跨がって配設される別の化粧材（天井仕上げ材）７を用いた例であって、前記化粧カバー３と同様に前記保持材１等による建材板５の支持構造を形成した後、取り付けた保持材１に対してこの天井仕上げ材７を取り付ければよい。なお、図中に示される符号８は、屋根構造の端部に配設されるＨ型鋼である。
【００５７】
この保持構造に用いられる化粧材（天井仕上げ材）７は、図４（ｃ）に示すように開口部７１１を備える化粧面部７１と、該化粧面部７１の左右から内側へ延在して前記保持材１の横片部１２に沿う固定用横片部７２，７３とを有し、隣り合う保持材１，１間に亘って取り付けられる構成である。また、この図示実施例では、前記固定用横片７２，７３には、前記保持材１に仮止めするためのＬ字状片（係合横片７２１，７３１、縦片７２２，７３２）が設けられ、前記化粧面部７１と前記固定用横片部７２との間には縦片状の当接部７４，７４が形成されている。前記化粧カバー３を除く全ての部材（保持材１、押さえ材２、型鋼４、及び建材板５）については全く同様であるから、図面に同一符号を伏して説明を省略する。
なお、この天井仕上げ材７は、パンチングメタル製の成形板であって、前記開口部７１１とは、固定用ビス７ｂを取り付けるための穴を指している。即ちこの天井仕上げ材７には、無数の穴が形成されているが、固定用ビス７ｂを取り付ける穴のみを開口部７１１とするものである。
【００５８】
前記構成の天井仕上げ材７を取り付ける保持材１については、既に説明した通りであるが、隣り合う保持材１，１間に亘って天井仕上げ材７を取り付ける点が前記化粧カバー３とは異なる。この図４（ａ）の中央に配される天井仕上げ材７は、図中の左側に配設された保持材１の横片部１２に、自身の左側に位置する固定用横片部７３が沿い、図中の右側に配設された保持材１の横片部１２に、自身の右側に位置する固定用横片部７２が沿うように取り付けられる。
また、この実施例では、自身の左側に位置する固定用横片７３に延設されたＬ字状片（７３１，７３２）が左の保持材１の係止部１３Ｂに嵌合状に取り付けられ、自身の右側に位置する固定用横片７２に延設されたＬ字状片（７２１，７２２）が右の保持材１の嵌合溝１４２に嵌合状に取り付けられるが、これらは仮止め用であって、開口部７１１から治具等を挿入して固定用ビス７ｂを打ち込んで固定する。
【００５９】
なお、前記天井仕上げ材７の化粧面部７１の左右に設けられる当接部７４，７４は、それに隣り合う天井仕上げ材７の配設を補助する役割を果たす。例えば図の左方の天井仕上げ材７を先に配設した場合には、その右方に位置する天井仕上げ材７は、当接部７４，７４同士を突き合わせるように前述の嵌合状の仮固定を行えばよく、より安定な仮固定を行うことができる。
【００６０】
図５に示す保持構造及び図６に示す保持構造では、中央２カ所に型鋼４の下フランジ４１が同一方向に延在するように配設され、その外側２カ所には型鋼４，４'同士を背中合わせに接続して用いた例を示している。また、この保持構造では、中央２カ所の型鋼４に対しては前記保持材１を取り付けているが、その外側２カ所の型鋼４，４'同士を背中合わせに接続して用いている箇所には、図５（ｃ）に示す横片部１２'の長さが約２倍の保持材１'を用いている。
この保持材１'は、前記隆状係止部１１１の代わりに逆の外側（図中の右側）へ隆起する隆状係止部１１２を備える中央縦片部１１'が設けられ、前記規制片１３Ａの代わりに型鋼４，４間に配置される起立片１５が設けられる以外は同様であるから図面に同一符号を付して説明を省略する。なお、前記隆状係止部１１２は、型鋼４'の下フランジ４１のリップ４１１に係合する構成である。
また、この保持構造においては、中央２カ所の型鋼４，４の間隔より、この型鋼４からその外側の型鋼４，４'同士を背中合わせに接続した箇所までの間隔が小さく形成されているので、当該間隔においては、建材板５よりその分寸法が短い建材板５Ｂを用い、型鋼４'の内部には短尺の補助断熱材５Ｃを配設（収納）した。
【００６１】
図５（ａ）では、化粧カバー３，３'の化粧面３１，３１'が略平坦状であって、型鋼４，４'同士を背中合わせに接続して用いている箇所には、化粧面３１'の長さが約２倍の（幅広の）化粧カバー３'を用いている。
ここで用いる化粧カバー３'は、前記化粧カバー３と全く同様に施工できる。
また、型鋼４，４'同士を背中合わせに接続して用いている箇所に用いる押さえ材２'は、図５（ｄ）に示すように型鋼４'の下フランジ側へ取り付けるものであるが、その縦片部２１には、型鋼４'の上フランジ４３のリップ（下向き片）４３１に係合する係合部２４が設けられている。
さらに、型鋼４'の内部には短尺の補助断熱材５Ｃが配設（収納）されているので、断熱性能の弱点部を生ずることもない。なお、この補助断熱材５Ｃは、前記建材板５，５Ｂと同質の素材であることが望ましく、その端材を充填してもよい。
【００６２】
図５（ｂ）では、前記化粧カバー３，３'に代えて、天井仕上げ材７を用いる点では前記図４と同様であるが、型鋼４，４同士を背中合わせに接続して用いている箇所には逆ハット状の繋ぎ用化粧材９Ａを併用している。
ここで用いる繋ぎ用化粧材９Ａは、断面フラット状の化粧面９１の左右を折り曲げ、フランジ状横片９２を延設した構成であって、このフランジ状横片９２に両面テープ９ｂを用いて固定部材１'の横片部１２'に仮止めすることができる。また、このフランジ状横片９２は、天井仕上げ材７の取付により、固定用横片部７２，７３と固定部材１'の横片部１２'との間に挟着されるので、強固に取り付けられるものとなる。
なお、前述のようにこの保持構造においては、中央２カ所の型鋼４，４の間隔より、この型鋼４からその外側の型鋼４，４'同士を背中合わせに接続した箇所までの間隔が小さく形成されているので、天井仕上げ材７は、当該間隔においても同一のものを用いているが、間隔が短い分だけ下方へ大きく湾曲させることで調整しており、これを天井仕上げ材７'及び化粧面部７１'として区別した。
【００６３】
図６（ａ）では、化粧カバー３Ｄ，３Ｅの化粧面３１ｄ，３１ｅが断面略Ｖ字状であって、型鋼４，４同士を背中合わせに接続して用いている箇所には、化粧面３１ｅの長さが約２倍の（幅広の）化粧カバー３Ｅを用いている。
ここで用いる化粧カバー３Ｄ，３Ｅは、前記化粧カバー３，３'と全く同様に施工できる。
【００６４】
図６（ｂ）では、前記図５（ｂ）と同様に天井仕上げ材７を用いる構成であるが、型鋼４，４同士を背中合わせに接続して用いている箇所には断面略Ｖ字状の化粧面９１ｃを有する繋ぎ用化粧材９Ｃを併用している。
ここで用いる繋ぎ用化粧材９Ｃは、前記図５（ｂ）における繋ぎ用化粧材９Ａと全く同様に取り付けることができる。
【００６５】
このように前記図５（ａ），（ｂ）の保持構造は、天井仕上げ材７を除く化粧カバー３，３'、及び繋ぎ用化粧材９Ａの化粧面が全てフラット（略水平）状の意匠性を有し、前記図６（ａ），（ｂ）の保持構造は、天井仕上げ材７を除く化粧カバー３Ｄ，３Ｅ、及び繋ぎ用化粧材９Ｃの化粧面が全て断面略Ｖ字状で角波状の意匠性を有するものとなる。
【符号の説明】
【００６６】
１，１'  保持材
１１  中央縦片部
１１１  隆状係止部
１２  横片部
１３  内側縦片部
１３Ａ  規制片
１３Ｂ  係止部
１４  傾斜状縦片
１４１  支持部
２  押さえ材
２ｂ  ビス
２１  縦片部
２１１係止受部
２２  押さえ片
２３  掛合片
３，３'  化粧材（化粧カバー）
３１  化粧面
４  型鋼
４１  下フランジ
４１１  上向き片（リップ）
４２  ウエブ
４３  上フランジ
４３１  下向き片（リップ）
５  建材板
５１ｘ，５１ｂｘ（一方側の）端部
６  屋根断熱材
７  化粧材（天井仕上げ材）
７１  化粧面部
８  Ｈ型鋼
９Ａ，９Ｃ  繋ぎ用化粧材
【図１】
0006516648.tif 000002
【図２】
0006516648.tif 000003
【図３】
0006516648.tif 000004
【図４】
0006516648.tif 000005
【図５】
0006516648.tif 000006
【図６】
0006516648.tif 000007